(57)【要約】      （修正有）【課題】積雪深の計測に用いる場合に、万一、雪が計測器に向かって動くような風向状況であると、地面に到達する前に計測器上に落ち着き、放射部及び検出部に対して雪が付着するようになりうる改善策を提供する。【解決手段】使用の場合に垂直配置となるようにされる延長支持部１と、延長支持部１上に搭載されて、それに沿って間隔をあけて配置される複数の放射部２と、延長支持部１上に搭載されて、それに沿って間隔をあけて配置される複数の検出部３とを備える深さ計測器である。放射部２及び検出部３はプロセッサに電気的に接続され、後者に対して放射部２への信号の送信及び検出部３からの信号の受信を可能にする。【選択図】図１
2018072203.tif 000002
【特許請求の範囲】
【請求項１】
使用する場合に垂直配置となるようにされる延長支持部（１）と、前記延長支持部（１）上に搭載されてそれに沿って間隔をあけて配置される複数の放射部（２）と、前記延長支持部（１）上に搭載されてそれに沿って間隔をあけて配置される複数の検出部（３）とを備える深さ計測器において、
前記放射部（２）及び前記検出部（３）はプロセッサに電気的に接続され、後者に対して前記放射部（２）への信号の送信及び前記検出部（３）からの信号の受信を可能にする深さ計測器において、前記放射部（２）の少なくとも２組又は前記検出部（３）の少なくとも２組が前記延長支持部（１）上に搭載され、前記組は、異なるそれぞれの方向に向けられていることを特徴とする、深さ計測器。
【請求項２】
隣接する放射部（２）が発した信号である、検出部（３）によって受信される信号の強度は、その信号が前記放射部（２）及び前記検出部（３）に隣接する物質によって反射される程度に依存することとなるように、各放射部（２）及び各検出部（３）は前記計測器から外側に向けられることを特徴とする、請求項１に記載の深さ計測器。
【請求項３】
前記放射部（２）及び検出部（３）は、光エミッター（２）及び光検出器（３）を備えることを特徴とする、請求項１又は請求項２に記載の深さ計測器。
【請求項４】
前記プロセッサは、各検出部（３）から受信される２つ以上の異なる信号のレベルをプロセッサが区別することが可能となるように構成されることを特徴とする、請求項１から３のいずれか１項に記載の深さ計測器。
【請求項５】
前記プロセッサは、前記延長支持部（１）のみなされる下方端からみなされるその上方端まで上方へ連続的に各放射部（２）にアドレスするようにプログラムされることを特徴とする、請求項１から４のいずれか１項に記載の深さ計測器。
【請求項６】
前記プロセッサは、隣接する放射部（２）をオフ状態にするか又は伝送しないような別の状態にしつつ、検出部（３）から受信される前記信号のレベルを記憶し、その後前記放射部（２）を信号の伝送をする状態に切り替えるようにプログラムされて、その時にプロセッサは前記検出部（３）から受信した前記信号のレベルを比較し、前記放射部（２）がオフ状態だったか又は伝送していなかった別の状態だったときの前記信号のレベルに対するその信号のレベルの差異を記憶することを特徴とする、請求項１から５のいずれか１項に記載の深さ計測器。
【請求項７】
前記プロセッサは、各放射部（２）に対して、パルス信号のような変更された信号を伝送させるようにプログラムされて、かつ、隣接する検出部（３）からの対応する変更された信号を測定するようにプログラムされることを特徴とする、請求項１から５のいずれか１項に記載の深さ計測器。
【請求項８】
前記放射部（２）及び前記検出部（３）は、相互に登録づけられていることを特徴とする、請求項１から７のいずれか１項に記載の深さ計測器。
【請求項９】
所定の放射部−検出部対の前記放射部（２）及び前記検出部（３）間に、仕切り（９又は１０）を設けることを特徴とする、請求項１から８のいずれか１項に記載の深さ計測器。
【請求項１０】
前記仕切り（９又は１０）は、前記放射部−検出部対の前記放射部（２）によって発せられる前記信号に対して不透明度を有することを特徴とする、請求項９に記載の深さ計測器。
【請求項１１】
１つの放射部−検出部対及び隣接する１つの放射部−検出部対間に、１つの仕切り（９又は１０）を設けることを特徴とする、請求項１から１０のいずれか１項に記載の深さ計測器。
【請求項１２】
前記１つの仕切り（９又は１０）は、前記放射部−検出部対又は前記隣接する放射部−検出部対の前記放射部（２）によって発せられる前記信号に対して不透明度を有することを特徴とする、請求項１１に記載の深さ計測器。
【請求項１３】
使用する場合に垂直配置となるようにされる延長支持部（１）と、前記延長支持部（１）上に搭載されてそれに沿って間隔をあけて配置される複数の放射部（２）と、前記延長支持部上に搭載されてそれに沿って間隔をあけて配置される複数の検出部（３）とを備える深さ計測器において、
前記放射部（２）及び前記検出部（３）はプロセッサに電気的に接続され、後者に対して前記放射部（２）への信号の送信及び前記検出部（３）からの信号の受信を可能にする深さ計測器において、複数の異なる周波数範囲内で選択的に、前記選択された範囲外で放射エネルギーを発するか検出することなく、もしくはその範囲内で発せられるか検出される前記放射エネルギーと比較して、低いレベルにおいてのみ前記選択された範囲外で放射エネルギーを発するか検出するように、各放射部（２）が放射エネルギーを発することが可能であり及び／もしくは各検出部（３）が放射エネルギーを検出可能であることを特徴とし、又は、
それぞれ異なる周波数範囲内で、それらの範囲外で放射エネルギーを発するか検出することなく、もしくはそれらの範囲内で発せられるか検出される放射エネルギーと比較して、低いレベルにおいてのみそれらの範囲外で放射エネルギーを発するか検出するように、異なる放射部（２）が放射エネルギーを発することが可能であり及び／もしくは異なる検出部（３）が放射エネルギーを検出可能であることを特徴とする、深さ計測器。
【請求項１４】
前記範囲は狭いため、実質的に所定の周波数で、前記放射部（２）がそれぞれ放射エネルギーを発し、又は前記検出部（３）が放射エネルギーを検出することを特徴とする、請求項１３に記載の深さ計測器。
【請求項１５】
前記所定の周波数は、波長０．６マイクロメートル、１．１マイクロメートル及び１．６５マイクロメートルに相当することを特徴とする、請求項１４に記載の深さ計測器。
【発明の詳細な説明】
【技術分野】
【０００１】
本発明は、使用の場合に垂直配置となるようにされる延長支持部と、上記延長支持部上に搭載されてそれに沿って間隔をあけて配置される複数の放射部と、上記延長支持部上に搭載されてそれに沿って間隔をあけて配置される複数の検出部とを備えるものであって、上記放射部及び上記検出部はプロセッサに電気的に接続され、後者に対して上記放射部への信号の送信及び上記検出部からの信号の受信を可能にする、深さ計測器に関する。
【背景技術】
【０００２】
そうした計測器のひとつが、特開平０３−２４２５９５号公報に記載及び説明されている。
【０００３】
そうした計測器が遭遇する課題のひとつは、積雪深の計測に用いる場合に、万一、雪が計測器に向かって動くような風向状況であると、地面に到達する前に計測器上に落ち着き、放射部及び検出部に対して雪が付着するようになりうることである。
【先行技術文献】
【特許文献】
【０００４】
【特許文献１】特開平０３−２４２５９５号公報
【０００５】
本発明は、改善策を提供しようとするものである。
【発明の概要】
【０００６】
したがって、本発明の第１の態様は、使用の場合に垂直配置となるようにされる延長支持部と、上記延長支持部上に搭載されてそれに沿って間隔をあけて配置される複数の放射部と、上記延長支持部上に搭載されてそれに沿って間隔をあけて配置される複数の検出部とを備えるものであって、上記放射部及び上記検出部はプロセッサに電気的に接続され、後者に対して上記放射部への信号の送信及び上記検出部からの信号の受信を可能にし、そうした受信器の少なくとも２組（ａｔ  ｌｅａｓｔ  ｔｗｏ  ｓｅｔｓ  ｏｆ  ｓｕｃｈ  ｅｍｉｔｔｅｒｓ）又はそうした検出部の少なくとも２組（ａｔ  ｌｅａｓｔ  ｔｗｏ  ｓｅｔｓ  ｏｆ  ｓｕｃｈ  ｄｅｔｅｃｔｏｒｓ）が上記延長支持部上に搭載され、該集合は、異なるそれぞれの方向に向けられている、深さ計測器を対象にしている。
【０００７】
そうした構成で、積雪深の測定を提供するために用いる場合で、上記集合のうちのひとつが示す深さがその他の集合又はその他の集合のうちのひとつが示す深さと異なる場合は、これは、より大きい深さを示している集合がその上に付着した雪を有することを表しているため、その集合によって示された深さは無視してよい。このように、そうした構成は、計測器上に付着した雪から生じる偽の深さ表示と、グランドレベルから積み重なった雪からの真の深さ表示とを区別することが可能であるという利点を提供する。
【０００８】
隣接する放射部が発した信号である、検出部によって受信される信号の強度は、その信号が放射部及び検出部に隣接する物質によってどれだけ反射されるかによって決まることとなるように、各放射部及び各検出部は、各放射部及び各検出部は計測器から外側に向けられうる。
【０００９】
放射部及び検出部は、光エミッター及び光検出器を備えうる。そうした構成は、特に、積雪深の測定に有用である。
【００１０】
プロセッサは、各検出部から受信される２つ以上の異なる信号のレベルをプロセッサが区別することが可能となるように構成されてよい。これにより、計測器は、異なるタイプの雪を区別する、例えば乾いた雪（ｃｒｉｓｐ  ｓｎｏｗ）、半解けの雪（ｓｌｕｓｈｙ  ｓｎｏｗ）及び氷状の雪（ｉｃｙ  ｓｎｏｗ）などを区別することが可能となる。
【００１１】
プロセッサは、延長支持部のみなされる（ｉｎｔｅｎｄｅｄ）下方端からみなされるその上方端まで上方へ連続的に各放射部にアドレス（ａｄｄｒｅｓｓ）するようにプログラムされうる。そうした構成で、測定された信号が直前の検出部からの信号より低くなる検出部の高さが、地上における積雪深を表しうる。
【００１２】
プロセッサは、隣接する放射部をオフ状態にする又は伝送しないような別の状態にしつつ、検出部から受信される上記信号のレベルを記憶し、その後放射部を信号の伝送をする状態に切り替えるようにプログラムされてよく、その時に、プロセッサは検出部から受信した上記信号のレベルを比較し、放射部がオフ状態だった又は伝送していなかった別の状態だったときの上記信号のレベルに対するその信号のレベルの差異を記憶する。このことは、相違する信号が周辺光から独立であるために、それはプロセッサにより提供される結果に関する効果を有さず、それによって後者は、例えば、日中又は夜間のどちらで計測器を動作しているかに関わらず同じ表示を与えるという利点を提供する。
【００１３】
あるいは、プロセッサは、各放射部に対して、例えばパルス信号である変更された信号を伝送させるようにプログラムされてよく、かつ、隣接する検出部からの対応する変更された信号を測定するようにプログラムされてよい。このことはまた、周辺光から独立である測定値を得るという利点を提供し、より大きな信号対雑音性能を与える。
【００１４】
放射部及び検出部は、相互に登録づけられている（ｉｎ  ｒｅｇｉｓｔｒａｔｉｏｎ  ｗｉｔｈ  ｏｎｅ  ａｎｏｔｈｅｒ）。このことは、測定値を、１つの集合の放射部／検出部から、その他の集合又はその他の集合のいずれかひとつの放射部／検出部の高さに相当する所定の高さで、得ることができることを保証する。
【００１５】
所定の放射部−検出部対の放射部及び検出部間に、仕切りが設けられうる。上記仕切りは、放射部−検出部対のうちの放射部によって発せられる上記信号に対して不透明度を有しうる。
【００１６】
１つの放射部−検出部対と隣接する放射部−検出部対との間に、仕切りが設けられうる。上記仕切りは、上記対又は上記隣接する対の放射部によって発せられる上記信号に対して不透明度を有しうる。これにより、深さを測定される周辺物質による反射を介さずに、放射部から検出部へ信号が直接伝達する可能性が軽減される。
【００１７】
特開平０３−２４２５９５号公報において開示されるそうした計器が遭遇する他の課題としては、深さを測定しようとする物質の異なる形態を容易に区別することができないことがある。
【００１８】
したがって、本発明の第２の態様は、使用の場合に垂直配置となるようになされる延長支持部と、上記延長支持部上に搭載されてそれに沿って間隔をあけて配置される複数の放射部と、上記延長支持部上に搭載されてそれに沿って間隔をあけて配置される複数の検出部とを備えるものであって、上記放射部及び上記検出部はプロセッサに電気的に接続され、後者に対して上記放射部への信号の送信及び上記検出部からの信号の受信を可能にし、複数の異なる周波数範囲内で選択的に、該選択された範囲外で放射エネルギーを発する／検出することなく、もしくはその範囲内で発せられる／検出される上記放射エネルギーと比較して低いレベルにおいてのみ上記選択された範囲外で放射エネルギーを発する／検出するように、各放射部が放射エネルギーを発することが可能であり及び／もしくは各検出部が放射エネルギーを検出可能であって、又は、それぞれ異なる周波数範囲内で、それらの範囲外で放射エネルギーを発する／検出することなく、もしくはそれらの範囲内で発せられる／検出される放射エネルギーと比較して低いレベルにおいてのみそれらの範囲外で放射エネルギーを発する／検出するように、異なる放射部が放射エネルギーを発することが可能であり及び／もしくは異なる検出部が放射エネルギーを検出可能である深さ計測器を対象にしている。
【００１９】
上記範囲は狭いものでありうるため、実質的に所定の周波数で、上記放射部がそれぞれ放射エネルギーを発し、又は上記検出部が放射エネルギーを検出する。
【００２０】
上記所定の周波数は、波長０．６マイクロメートル、１．１マイクロメートル及び１．６５マイクロメートルに相当しうる。
【００２１】
本発明に従ってなされる深さ計測器の例が、以下の添付の図面により詳細に説明される。
【図面の簡単な説明】
【００２２】
【図１】図１は、本発明を実施する深さ計測器の側面図である。
【図２】図２は、図１に示すＩＩ−ＩＩ線で示される面における計測器の横断面図である。
【図３】図３は、説明的グラフを示す。
【図４】図４は、異なる説明的グラフを示す。
【発明を実施するための形態】
【００２３】
図１は、透明又は半透明材料よりなる垂直剛性柱１を備え、それに沿って互いに均等に間隔をあけて配置されて、それぞれ発光ダイオード２を備える複数の放射部が配置される、深さ計測器を示す。複数の光検出部３もまた、剛性柱１に沿って、互いに均等に間隔をあけて配置され、ダイオード２と位置を合わせる。各放射部２及び隣接する検出部３は、互いにごく近接している。各放射部及び隣接する検出部は、放射部−検出部対を形成する。そうした各対は、柱１の概ね水平な平台（プラットフォーム）３ａ上に据え付けられ、多数のそうした支持平台がまた柱１に沿って間隔をあけて配置される。
【００２４】
柱１の下方端には、グランドスパイク５と、スパイク５及び柱１間に挟まれる安定ディスク又はフランジ６とが設けられる。
【００２５】
柱１の上方端には、ケース４を伴うプロセッサが設けられる。プロセッサは、多様な回路（図示せず）を経由して、全ての放射部２と及び全ての検出部３と電気的に接続される。
【００２６】
柱１の上半分には、突起７が設けられ、そこから支線（張り索）８が柱１からさらに離れる端部まで延び、その端部は地面にしっかりと固定される。これにより、柱１のさらなる安定性が提供される。
【００２７】
図２からより容易に確認できるように、各平台３ａは、平台円周に沿って円周方向に等間隔に間隔をあけて配置される４つの放射部及び４つの検出部を支持する。そのため、各平台上で、その円周に沿って進むと、放射部が検出部と交互に並ぶ。各放射部２及び各検出部３は、所定の水平方向において、各放射部２が、隣接する検出部３の双方に対して実質的に４５度の角度に向けられ、各検出部３が、隣接する放射部２の双方に対して実質的に４５度の角度に向けられるように、放射状に外側に向けられる。各放射部２は、所定の高さにおいて２つの隣接する検出部３を有し、各検出部３は、所定の高さにおいて２つの隣接する放射部２を有し、各放射部２及び各検出部３は、２つの放射部−検出部対の一部を構成する。各放射部−検出部対の放射部２及び検出部３間には、仕切り９及び１０がある。これらの仕切りは、所定の放射部−検出部対の放射部２から検出部３へ直接光が伝送される程度を軽減するように不透明度を有しうる。
【００２８】
平台３ａのそれぞれの８つの放射部−検出部対は、その他の全ての平台３ａの放射部−検出部対と同様の８つの各方向に向けられるということがわかるであろう。結果として、８本の２等分線がまた、隣接する仕切り間を４５度の角度として、柱１の軸線周辺に均等に間隔をあけて配置されるように、放射部−検出部対の８つの集合は、各集合の放射部及び検出部間に仕切り９又は１０によって構成されるそれぞれの２等分線を伴う。
【００２９】
使用の場合には、フランジ６が地表に対して押圧され、かつ、支線８もまた図１に示すように地面に固定されるようにスパイク５を地面に挿入して、図１及び２に説明する計測器を次の手法で動作する。
【００３０】
ケース４を伴うプロセッサは、最下の８つの放射部−検出部対のそれぞれの検出部３から発する信号をプロセッサが読み取るように、適切にプログラムされる。プロセッサは、これを行う一方で、それらの対の放射部をそれぞれオフに切り替えるか、又はさせなければ非伝送状態（ｎｏｎ−ｔｒａｎｓｍｉｔｔｉｎｇ  ｃｏｎｄｉｔｉｏｎ）とする。その後プロセッサは、最下の平台３ａの各放射部−検出部対の放射部２をオンに切り替えるため、それにより、１つの放射部−検出部対と別の放射部−検出部対との間で測定への干渉がない。その後プロセッサは、放射部２が伝送状態にあるときに各放射部−検出部対の検出部３から得た読み取りと、各対の放射部２が伝送していないときに検出部３から得た読み取りとの差異を記憶する。
【００３１】
これがその後、柱１の底部から上方へ連続的にその上部に向かって、各平台３ａの放射部−検出部対で繰り返される。
【００３２】
その後プログラムは、これらの結果を解析して、所定の放射部−検出部対の放射部２から検出部３へ光を反射する物質がないという事実により前記差異が急激に低下するのは柱１のどの高さにおいてかを示す。それはまた、例えば柱１上に何らかの雪の付着があるか否かの表れである、所定の高さの平台３ａ上の放射部−検出部対から、また相違する信号の値から得られた結果における何らかの差異の表示、並びに、例えば、乾いた雪、半解けの雪、氷状の雪もしくはこれらの間の状態であるか、又は、細粒の霜（ｆｒｏｓｔ）、粗粒の霜もしくは気泡を含有する氷塊であるか、物質の種類の表示を提供する。
【００３３】
この手順は、実質的に０．６マイクロメートルの波長に相当する周波数で、排他的に動作するように切り替えられた放射部２及び／又は検出部３によって完了する。その後、実質的に１．１マイクロメートルの波長で、排他的に動作するように切り替えられた放射部２及び／又は検出部３で繰り返される。上記手順は、その後、実質的に１．６５マイクロメートルの波長で、排他的に動作するように切り替えられた放射部２及び／又は検出部で繰り返される。
【００３４】
図３は、それぞれ反射されている放射エネルギーの波長の関数とする細粒の霜、粗粒の霜及び気泡を伴う氷塊の反射率を示す複数の曲線を示す。図４は、それぞれ反射されている放射エネルギーの波長の関数とする異なる含水量レベルでの、０℃（約２７３．１５Ｋ）における雪の反射率を示す複数の曲線を示す。これらのグラフは、Clark, R. N., Chapter 1: Spectroscopy of Rocks and Minerals, and Principles of Spectroscopy, in Manual of Remote Sensing, Volume 3, Remote Sensing for the Earth Sciences, (A.N. Rencz, ed.) John Wiley and Sons, New York, p 3- 58, 1999からである。
【００３５】
図３に関して、その参照事項を以下のとおり記述する。（ａ）細粒（〜５０μｍ）の霜（ｗａｔｅｒ  ｆｒｏｓｔ）、（ｂ）中粒（〜２００μｍ）の霜、（ｃ）粗粒（４００から２０００μｍ）の霜及び（ｄ）微小気泡を大量に含有の氷塊の反射率の近赤外スペクトルである。有効粒径が大きいほど、氷中を動く光子の平均光子経路がより大きくなり、吸収がより大きくなる。曲線（ｄ）は、氷中の経路長が長いため、反射率が非常に低い。これらのスペクトルに関する氷温は、１１２から１４０Ｋである。
【００３６】
図４に関して、その参照事項を以下のとおり記述する。融雪の一連の反射率スペクトルである。最上の曲線（ａ）は０℃（約２７３．１５Ｋ）においてであり、液体状態の水は少量のみである一方、最下のスペクトル（ｊ）は、雪の上にある約３ｃｍの水溜りのものである。最上のスペクトルにおいては、温度の理由から、１．６５〜μｍ（１．６５μｍからの）帯域がないことに留意されたい。１．６５〜μｍの特徴は、温度依存性であり、温度の増加に伴い強度が減少する（Clark,1981a及びその参考文献を参照）。液体状態の水が形成されるにつれて、約０．７５μｍ及び１〜μｍ氷帯の短波長側における吸収が増加することに留意されたい。ＵＶ吸収が増加するスペクトル（ｅ）辺りで、液体状態の水がスペクトル的に検出されるようになる。これらのグラフは、どのようにして異なる周波数又は波長での異なる測定を用いて図１及び２で説明した計測器で深さ測定される物質の種類を示すことができるかを示し、異なる深さにおける物質の性質上の変化の表示を含む。
【００３７】
全てのこれらの表示は、無線又は有線通信を経由して、ケース４を伴うマイクロプロセッサから遠隔にデータ収集センターへ伝送されて、様々な値が、行う必要がある任意の補修動作を適切に指示可能であるように、かつ、概して統計上の記録を作成可能であるように記録及び観測される。
【００３８】
多数のそうした計測器が、ネットワークの一部を形成し、広いエリアをカバーすることができる。そうしたネットワークからの結果は、インターネットを介して公表されうる。
【００３９】
得られる構成が本発明の範囲を外れることなく、説明した計測器に対する多数の変形及び修正が、読者に対して容易に想起されてよい。例えば、柱１に沿って間隔をあけて配置される放射部の２つの集合及び検出部の２つの集合のみであってもよく、又は３つのそうした各集合もしくは４つ以上、例えば８であってもよい。これについてより普遍的に述べると、Ｎ＞１として、放射部２のＮ個の集合及び検出部３のＮ個の集合であって、それぞれ２Ｎ方向に向けられる放射部−検出部対の２Ｎ個の集合を有することができる。もちろん、放射部−検出部対の２つの集合を提供する放射部２の１組（ａ  ｓｅｔ  ｏｆ）及び検出部３の２組（ｔｗｏ  ｓｅｔｓ  ｏｆ）、又は、放射部−検出部対の２つの集合を提供する検出部３の１組及び放射部２の２組を有することが依然として有用である。説明した計測器における放射部及び検出部は、光エミッター及び光検出器であるが、それらは異なる放射エネルギー又は異なる物理的効果を発し、かつ、検出するように構成されてよい。計測器は、積雪深を測定する装置として記載したが、特に光を反射するものであれば、計測器は他の物質又は流体の深さを測定するように構成されてよい。柱１は、長さ５０ｃｍから長さ１５ｍのいずれか、又は実際はこの範囲外であってよく、様々な地域で測定される雪の深さに依存する。スパイク５は、長さを約３０ｃｍとしうる。ケース４を伴うプロセッサは、放射部及び検出部の何れかの故障を検出するようにプログラムされうる。
【００４０】
ケース４を伴うマイクロプロセッサは、各放射部２によって伝送される信号を、例えばパルスのように、変更させることができるように、かつ、マイクロプロセッサによって処理される対応する検出部３からの信号が対応して変更されるように、プログラムされうる。このことにより、放射部がオフ状態のときの測定を行う必要を回避し、周辺光の影響を回避し、かつ、より大きな信号対雑音性能を提供する。
【図１】
2018072203.tif 000003
【図２】
2018072203.tif 000004
【図３】
2018072203.tif 000005
【図４】
2018072203.tif 000006
【外国語明細書】
2018072203000001.pdf